(57)【要約】      （修正有）【課題】配管材を被覆する配管カバーと設置対象物との間隔が施工箇所によって様々であっても、前記配管カバー上端部における配管の屈曲部を容易且つ確実に被覆することを可能とする。【解決手段】配管カバー装置は、設置対象物に対して間隔をあけて設置され、内部に配管材を収容する配管カバー１０と、配管孔と連通して該設置対象物に固定され、前記配管材を内包する固定カバー２０と、前記配管カバー１０と固定カバー２０との間に位置する配管材を覆う連結カバー３０とからなり、前記連結カバー３０は、配管カバー１０及び固定カバー２０に対して外嵌可能な分割体にて構成され、相互に組み付けることによって鈍角に屈曲した筒状体を形成し、当該設置対象物に対する離間及び近接を可能とすべく、当該設置対象物に対して傾斜した方向に筒状体を設置する固定カバー２０へ、当該筒状体の軸方向に対して摺動可能に接続される。【選択図】図１１
2008116054.tif 000002
【特許請求の範囲】
【請求項１】
設置対象物に対して間隔をあけて当該設置対象物に沿って設置され、内部に配管材を収容する配管カバーと、
前記配管カバー内の配管材を前記設置対象物内に配管すべく、当該設置対象物に形成された配管孔と連通して該設置対象物に固定され、前記配管材を内包する固定カバーと、
前記配管カバーと固定カバーとを連結すべく両者間に取り付けられ、前記両者間に位置する配管材を覆う連結カバーとからなり、
前記連結カバーは、配管カバー及び固定カバーに対して外嵌可能な分割体にて構成され、相互に組み付けることによって鈍角に屈曲した筒状体を形成し、配管カバーと固定カバーとの間で露出する配管材を覆うものであって、その一端に配管カバーとの接続部を、他端に固定カバーとの接続部を備えてなり、
この連結カバーにおける固定カバーとの接続部は、前記配管カバーと当該配管カバーが設置される前記設置対象物との間隔に応じて、当該設置対象物に対する離間及び近接を可能とすべく、当該設置対象物に対して傾斜した方向に筒状体を設置する固定カバーへ当該筒状体の軸方向に対して摺動可能に接続されることを特徴とする配管カバー装置
【請求項２】
請求項１に記載の配管カバー装置において、
前記固定カバーの被接続部は、その筒軸が、前記設置対象物に対して斜め方向に穿設された配管孔の延長上に配置されるように傾斜して設けられることを特徴とする配管カバー装置。
【発明の詳細な説明】
【技術分野】
【０００１】
本発明は、建物の壁面等の設置対象物に設置される配管材を被覆する配管カバー装置に関し、特に、前記配管材の設置対象物に対する間隔に応じ、連結部分の寸法を変化させる配管カバー装置に関するものである。
【背景技術】
【０００２】
建物の外壁等の設置対象面に対し間隔をあけた状態で、配管材を内部に収容して保護できる配管カバーとして、特許文献１に記載のものがある。
【０００３】
かかる配管カバーによれば、配管材を外壁面から浮かせた状態に配管することができるため、平坦でなく凹凸箇所のある外壁面でも、配管作業を容易に行うことができる。
【０００４】
そして、かかる配管カバー内の配管材１を建物内に引き込むには、例えば図１３に示すように、配管カバーを設置した後、配管カバーの上端と建物の外壁に形成された配管孔との間にエルボ形の引込カバーを取り付け、配管カバーと配管孔とを連通させることにより、前記カバーの配管材を建物内に引き込むようにしている。
【０００５】
然るに、前記外壁面は必ずしも平坦なものばかりでなく、その壁面に凹凸があったり、或いは壁面自体が傾斜している場合もある。そのような状況の下、前記配管カバー上端における外壁面との間隔は、施工箇所によって相違することとなる。
【０００６】
また、配管材が地中から立上げられて配管される給水管であるような場合においては、給水管が地中から立上げられる位置により、配管カバーと前記外壁面との間隔が決定されることとなるので、施工箇所によって相違することとなる。
【０００７】
かかる状況の下、前記「引込カバー」は一定形状に形成される成形品であるため、前記配管カバーの上端と壁面（に穿設された配管孔）との種々の間隔に対応できず、当該引込カバーの取り付けができない場合もあり、配管作業を極めて面倒なものとしていた。
【０００８】
本発明は、上記の問題を解決するためには、上記引き込みカバーに相当する部分に、軸方向への寸法を変化させる一定の幅を設定することによって可能となる点に気付き案出されたものであり、その解決しようとする課題は、以下に示すものである。
【特許文献１】特開平７−１９５２９号公報
【発明の開示】
【発明が解決しようとする課題】
【０００９】
即ち本発明は、配管材を被覆する配管カバーと設置対象物との間隔が施工箇所によって様々であるにも拘わらず、前記配管カバー上端部における配管の屈曲部を容易且つ確実に被覆することを可能とするものである。
【課題を解決するための手段】
【００１０】
上記課題を解決するために、本各発明の採った手段は以下に示すものである。
まず、請求項１に係る発明の配管カバー装置１００は、設置対象物に対して間隔をあけて当該設置対象物に沿って設置され、内部に配管材を収容する配管カバー１０と、前記配管カバー１０内の配管材を前記設置対象物内に配管すべく、当該設置対象物に形成された配管孔と連通して該設置対象物に固定され、前記配管材を内包する固定カバー２０と、前記配管カバー１０と固定カバー２０とを連結すべく両者間に取り付けられ、前記両者間に位置する配管材を覆う連結カバー３０とからなり、前記連結カバー３０は、配管カバー１０及び固定カバー２０に対して外嵌可能な分割体にて構成され、相互に組み付けることによって鈍角に屈曲した筒状体を形成し、配管カバー１０と固定カバー２０との間で露出する配管材を覆うものであって、その一端に配管カバー１０との接続部を、他端に固定カバー２０との接続部を備えてなり、この連結カバー３０における固定カバー２０との接続部は、前記配管カバー１０と当該配管カバー１０が設置される前記設置対象物との間隔に応じて、当該設置対象物に対する離間及び近接を可能とすべく、当該設置対象物に対して傾斜した方向に筒状体を設置する固定カバー２０へ当該筒状体の軸方向に対して摺動可能に接続されることを特徴とするものである。
【００１１】
即ち、本請求項に係る発明の配管カバー装置１００は、連結カバー３０における固定カバー２０との接続部を摺動可能なものとしたものである。そのため、前記連結カバー３０を設置対象物に固定された固定カバー２０に対し接続する際には、当該固定カバー２０と相互に重なり合った状態にて、前記連結カバー３０を一定の範囲内で移動させることが可能となる。
【００１２】
また、本請求項に係る発明の配管カバー装置１００は、その連結カバー３０は分割体にて形成したものである。そのため、当該連結体を分割可能とすることにより、予め設置された配管カバー１０と固定カバー２０とを挟み込むようにして設置することができる。
【００１３】
請求項２に係る発明は、請求項１に記載の配管カバー装置１００において、前記固定カバー２０の被接続部は、その筒軸が、前記設置対象物に対して斜め方向に穿設された配管孔の延長上に配置されるように傾斜して設けられることを特徴とするものである。
【発明の効果】
【００１４】
まず、請求項１に係る発明によれば、配管カバーと設置対象物との間隔が施工箇所によって様々であったとしても、それら様々の間隔に応じて、連結カバーを移動させることにより、当該連結カバーと固定カバーとが相互に重なり合っている部分の幅を任意に変化させることが可能となる。そのため、前記配管カバー上端部における配管の屈曲部を容易且つ確実に被覆することが可能となるという効果を奏するのである。
【００１５】
また、本請求項に係る発明によれば、配管カバーと固定カバーとの間に位置する屈曲した配管に対し、容易に被覆することが可能となるという効果を奏するのである。
【００１６】
そして、本請求項に係る発明によれば、設置対象物から斜め方向に向けて設置され、尚且つ、設置対象物に沿わせるべく屈曲して配置された配管材を被覆するものである。また、連結カバーは、設置対象物と配管カバーとの間隔に応じて、設置対象物に対し傾斜した方向に向けて移動でき、当該連結カバーと前記固定カバーとの相互に重なり合う部分の幅を任意に変更することが可能となるという効果を奏するのである。
【００１７】
次に、請求項２に係る発明によれば、配管カバーと設置対象物との間隔に応じて、前記固定カバーの筒軸に接続される連結カバーを、前記設置対象物に対し傾斜した方向に向け摺動させて移動することが可能となるという効果を奏するのである。
【発明を実施するための最良の形態】
【００１８】
以下、本発明の好適な実施の形態を、図面を参照して説明する。
本発明に係る「配管カバー装置１００」は、配管カバー１０と固定カバー２０と連結カバー３０とを有するものであり、以下、各構成要件毎に説明する。尚、本発明において「配管用連結カバー」は、「配管カバー装置１００」における「連結カバー３０」と同一であるので併せて説明するものとする。
【００１９】
まず、配管カバー１０は、建物の外壁等の設置対象物に対し間隔をあけて当該設置対象物に沿って設置され、その内部に配管材を収容するものである。このような作用を奏するものであれば、その形状等は限定されるものではないが、例えば図６に示す形状にて構成することが考えられる。即ち、当該配管カバー１０は筒状体からなるものであって、当該筒状体の長手方向の全長に亘って相互に連通するスリット１１を形成されて、「半割れ」状態に構成されるものである。また、前記スリット１１の両側部分には「ガイド溝１２」が形成されている。このガイド溝１２の双方を螺子にて貫通させて共締めすることにより、前記スリット１１が再度拡開することを防止できる。
【００２０】
図１２の断面図に示す「支持金具４０」にて固定された配管材に対し、当該配管カバー１０を装着する際には、前記スリット１１部を拡開させた後、配管カバー１０の内側を前記配管材にあてがうことにより、本配管カバー１０の内側に前記配管材を収納させることが可能となるのである。しかる後、当該配管カバー１０のガイド溝１２にタッピングビス等の螺子を螺合させ、該配管カバー１０と前記支持金具４０に穿設された孔と共締めすることにより固定することが可能となる。
【００２１】
次に、固定カバー２０につき説明する。この固定カバー２０は、上記配管カバー１０内に収容された配管材を設置対象物内に引き込んで配管すべく、当該設置対象物の配管孔に連通するように該設置対象物に固定され、その内部に配管材を収容するものである。このような作用を奏するものであれば、如何なる形状及び構造のものとしてもよいが、具体的には、図８に示す形状にて構成することが考えられる。
【００２２】
この図８示す固定カバー２０は、鈍角に屈曲して配置される配管材の、設置対象物から「突出した部分」を被覆するものである。なお図８における配管材は、図１２の断面図に示すように、設置対象物である壁面の外側から内側に向け、斜め上の方向（約４５°）に向けて穿設された配管孔に挿通されるものである。かかる方向に向けて配管孔を穿設することにより、壁面の外側から内側に向け、雨水等が浸入することを防止することが可能となるのである。
【００２３】
前記の各固定カバー２０は「分割体」からなるものであって、前記「突出した部分」を両側方から挟み込むことにより、被覆することが可能となり、それぞれの分割体を相互に合体させて筒状体を構成し、この筒状体を設置対象物に螺子止めする等により固定するのである。
【００２４】
続いて、連結カバー３０につき説明する。この連結カバー３０は、上述した配管カバー１０と固定カバー２０とを連結すべく両カバーの間に取り付けられ、前記両カバーの間に位置する配管材を被覆するものである。この連結カバー３０は、その一端に配管カバー１０との接続部を備え、他端には固定カバー２０との接続部を備えるものである。とりわけ「固定カバー２０との接続部」は摺動可能に構成されるものであり、前記設置対象物と前記配管カバー１０との間隔に応じて本連結カバー３０を移動でき、当該連結カバー３０と前記固定カバー２０とが相互に重なり合う部分の幅を任意に変更することが可能となるのである。このような作用を奏するものであれば、如何なる形状及び構造のものとしてもよいが、具体的には、図９に示す形状にて構成することが考えられる。
【００２５】
この図９に示す連結カバー３０は、図８に示す配管カバー１０と固定カバー２０との間に装着されて、配管材の「鈍角の屈曲部」を被覆するものである。これらの連結カバー３０は、図３に示すように分割体にて構成されるものであって、相互に合体させることにより筒状体を構成するものである。尚、配管材における前記「屈曲部」は、１３５°に屈曲して形成された「エルボ」にて構成してもよい。
【００２６】
この分割体には、それぞれ係止部３１を設けている。この係止部３１は、それぞれ係止爪３１１と凹部３１２とを有するものである。即ち図５に示すように、一方の分割体に形成された係止爪３１１が他方の分割体に設けられた凹部３１２に係合するとともに、前記他方の分割体に形成された係止爪３１１が前記一方の分割体に設けられた凹部３１２に係合するものである。このように、２つの辺にて相互に係合し合うこととなるので、容易に外れてしまうことを防止できるのである。尚、図示はしないが、図９に示す連結カバー３０についても、図３乃至図５に示す「掛止部」を備えるものとしている。
【００２７】
本発明において、上記した配管カバー１０、固定カバー２０及び連結カバー３０は、塩化ビニル等の合成樹脂にて形成することが好適と考えられるが、特段これに限定されるものではなく、強度並びに耐候性を確保できるものであれば、如何なる原材料にて形成してもよい。
【００２８】
そして、上述の構成を採ることにより、本発明に係る発明の配管カバー装置１００は、図１０，１１に示すように、連結カバー３０における固定カバー２０との接続部を摺動可能となる。そのため、前記連結カバー３０を設置対象物に固定された固定カバー２０に対し接続する際には、当該固定カバー２０と相互に重なり合った状態にて、前記連結カバー３０を一定の範囲内で移動させることが可能となるのである。従って、配管カバー１０と設置対象物との間隔が施工箇所によって様々であったとしても、それら様々の間隔に応じて、連結カバー３０を移動させることにより、前記配管カバー１０上端部における配管の屈曲部を容易且つ確実に被覆することが可能となるのである。
【００２９】
本発明に係る配管カバー装置１００は、主に地中から立ち上げられ建物内に進入する給水（又は給湯）管を被覆する際に用いられるものであるが、これに限定されるものではなく、エアコンの冷媒管を被覆するべく用いてもよい。
【図面の簡単な説明】
【００３０】
【図１】参考例に係る配管カバー装置１００を示す斜視図である。
【図２】参考例に係る配管カバー装置１００を示す斜視図である。
【図３】図２に示す連結カバー３０の分割体を示す図である。
【図４】図３に示す連結カバー３０の分割体を合体させてなる筒状体を示す図である。
【図５】図３及び図４に示す連結カバー３０の係止部３１によって係止する状態を示す断面図である。
【図６】図２に示す配管カバー装置１００において、配管カバー１０と設置対象物との距離が近い位置にて設置した状態を側方から示す図である。
【図７】図２に示す配管カバー装置１００において、配管カバー１０と設置対象物との距離が遠い位置にて設置した状態を側方から示す図である。
【図８】本発明に係る配管カバー装置１００を示す斜視図である。
【図９】本発明に係る配管カバー装置１００を示す斜視図である。
【図１０】図９に示す配管カバー装置１００において、配管カバー１０と設置対象物との距離が近い位置にて設置した状態を側方から示す図である。
【図１１】図９に示す配管カバー装置１００において、配管カバー１０と設置対象物との距離が遠い位置にて設置した状態を側方から示す図である。
【図１２】図１１に示す配管カバー装置１００の内側を示す断面図である。
【図１３】従来技術に係る配管カバー装置１００である。
【符号の説明】
【００３１】
１０    配管カバー
１１    スリット
１２    ガイド溝
２０    固定カバー
３０    連結カバー（配管用連結カバー）
３１    係止部
３１１  係止爪
３１２  凹部
４０    支持金具
１００  配管カバー装置
【図１】
2008116054.tif 000003
【図２】
2008116054.tif 000004
【図３】
2008116054.tif 000005
【図４】
2008116054.tif 000006
【図５】
2008116054.tif 000007
【図６】
2008116054.tif 000008
【図７】
2008116054.tif 000009
【図８】
2008116054.tif 000010
【図９】
2008116054.tif 000011
【図１０】
2008116054.tif 000012
【図１１】
2008116054.tif 000013
【図１２】
2008116054.tif 000014
【図１３】
2008116054.tif 000015